(57)【要約】【課題】傘の吊り手を有効に利用し得るようにする。【解決手段】吊り紐を有する傘において、吊り紐の適所を傘の適所に係止し得るようにするため、傘と吊り紐の適所に互いに係止可能な係止手段を設ける。望ましい実施例では、傘に設けられる係止手段が柄に設けたフックであり、吊り紐がループ状に形成され、吊り紐の折り返し部を直接フックに掛け止められるようにする。他の実施例では、係止手段をフックとし、吊り紐に係止用のリングを設け、そのリングを柄のフックに掛け止められるようにする。他の実施例では、吊り紐の先端に係止手段となる球部を設けし、柄には球部を挿入、保持し得る係止溝が設けられる。柄と吊り紐の間に、互いに係止可能マグネット、ホック、面ファスナー片からなるファスナーを設けても良い。【選択図】図2
2005192909.tif 000002
【特許請求の範囲】
【請求項１】
柄（10）に吊り紐(20)を有する傘において、
傘と吊り紐（20）の適所に互いに係止可能な係止手段を設け、吊り紐(20)の適所を上記傘の適所に係止し得るようにしたことを特徴とする上記の傘。
【請求項２】
吊り紐(20)がループ状に形成され、係止手段として柄（10）にフック（10a、121）が設けられ、吊り紐（20）の折り返し部が直接フック（10a、121）に掛け止められるよう構成された請求項1に記載の傘。
【請求項３】
柄（14、16）に設けられる係止手段がフック（14a、16a）であり、吊り紐(22、24)が係止用のリング(23、25)を有し、そのリング(23、25)が柄（14、16）のフック(14a、16a)に掛け止められる請求項1に記載の傘。
【請求項４】
吊り紐（26）がその先端に係止手段となる球部（26a）を具備し、柄（18）には球部（26a）を挿入、保持し得る係止溝(18b)が設けられた請求項1に記載の傘。
【請求項５】
柄(19)と吊り紐 (28)が、互いに係止可能なファスナー（19a、29）を具備する請求項1に記載の傘。
【請求項６】
ファスナーが、互いに吸着可能なマグネット片から成る請求項5に記載の傘。
【請求項７】
ファスナーが、互いに接離可能な面ファスナー片から成る請求項5に記載の傘。
【請求項８】
ファスナーが、互いに接合可能なホックから成る請求項5に記載の傘。
【発明の詳細な説明】
【技術分野】
【０００１】
本発明は、吊り紐を有する傘、特に新規な柄と吊り紐を具備し、傘が濡れたときにも、携行に便利な吊り紐を有する傘に関する。
【背景技術】
【０００２】
柔軟で多少の弾力性を有する吊り紐を有する傘の柄は、例えばUSP4,616,868号明細書などで公知であり、折畳式その他各種の傘用の柄として広く用いられている。
ここで、柄と言うときは、傘軸の一端に取り付けられる把手、ハンドル、手元などと呼ばれる部品を指すものとする。
この傘の柄に取り付けられる吊り紐は、傘を手に持って携行する際には便利であるが、その傘を手から離して、何らかの作業をしようとするとき、例えば、外出先で書類に文字を書き込むときや、食事や幼児の世話をする際、傘の置き場に困ることがあり、とりわけ傘が濡れているときに、この問題が深刻なものとなる。
【０００３】
傘の吊り紐を例えば椅子等のフレームや、ハンドバックの吊り手などに簡単に吊り下げられるようにできれば好都合であるが、このような傘は提案されていない。
【０００４】
【特許文献１】昭和57年実用新案公報第07287号
【特許文献２】アメリカ特許明細書第4,616,868号
【０００５】
前者に開示された技術は、針金製の枠状の吊り金具を、柄の端部に傘軸を含む平面内で回動可能に取り付け、この吊り金具を柄の長手方向に沿わせて固定する収納状態と、収納状態から解放され傘を吊り下げ携行し得る自由状態とに保持できるようにし、収納状態では柄の側面に設けた収納溝内に収められるようにしたものである。
このような吊り金具を用いれば例えば壁などに設けた帽子掛け用フックなどに傘を吊り下げることはできるが、このようなフックのある場所は居宅等限られた場所であり、外出先で好適に利用できることはない。
又、この吊り金具は特殊形状の針金製フレーム構造のものであるため、使い勝手が悪く、簡単に変形する上、一旦変形すると元の形に戻す事が困難であり、吊り金具を収納するため設けた溝に入らなくなると言う問題があって、広く実用化されることはなかった。
又、この方式は、断面が長方形の角柱型以外の傘柄に適用することが難しく、特に折畳傘に多用される短い円柱状等の柄には適用できないと言う問題もあった。
【０００６】
後者に記載された発明は、柄にループ状の吊り紐を設けたものであるが、このような吊り紐では、傘を椅子等のフレームや、ハンドバックの提げ手などに吊り下げることは叶わない。
【発明の開示】
【発明が解決しようとする課題】
【０００７】
要するに、本発明の要旨とするところは、従来公知の吊り紐が、ループ状であるにせよストラップ状であるにせよ、単純な吊り紐に過ぎず、帽子掛のようなフックに引っ掛けて吊るすことができるとしても、例えば、椅子の背もたれのフレームや手摺、ハンドバックの提げ手などに吊るすことはできなかったものを、吊り紐の適所を傘の何れかの部分に着脱自在に掛け留め得るよう構成し、傘をこれらの個所に吊り下げ得るようにすることにある。
更に具体的にいえば、本願発明の意図するところは、折畳傘などの短い円柱状又は角柱状の柄にも好適に適用でき、椅子等のフレームや、ハンドバックの吊り手などに吊り下げ、手を空けて作業や事務、食事、買い物などができる便利な吊り紐付きの傘を提供することにある。
尚、本発明は、傘の柄と吊り紐のみに関わるものであり、かつ、本発明に係る柄と吊り紐を具備する限り、如何なる傘にも適用できるものであるから、本明細書では専ら、柄と吊り紐部分のみについて説明することとし、他の部分の説明は省略する。
【課題を解決するための手段】
【０００８】
叙上の意図を成就するため、本発明においては、柄に吊り紐を有する傘において、吊り紐の適所を柄に係止し得るようにするため、柄と吊り紐の適所に互いに係止可能な係止手段を設ける。
【０００９】
望ましい実施例においては、柄に設ける係止手段をフックとし、吊り紐がループ状に形成され、吊り紐の折り返し部が係止手段として直接フックに掛け止められるようにする。
更に望ましい別異の実施例においては、柄に設けられる係止手段を上記同様なフックとし、吊り紐に係止用のリングを設け、そのリングが柄のフックに掛け止められるよう構成する。
【００１０】
又、別の実施例においては。吊り紐がその先端に吊り紐側の係止手段となる球部を具備し、柄には柄の側の係止手段となる、上記球部を挿入、保持し得る係止溝が設けられ、吊り紐の先端の球部が、係止溝の一端に設けた挿入部から溝内に挿入され、抜け止めが施された係止溝の内部に保持されるようにする。
【００１１】
さらに別異の実施例では、柄と吊り紐が、互いに係止可能なファスナーを有し、これにより吊り紐の適所が柄に係止されるよう構成する。
ファスナーとしては、ホック、面ファスナー、マグネット片からなる磁気ファスナー等が採用される。
【００１２】
本発明は、折畳傘に多用されている短い円柱形の外、如何なる形状の傘の柄、即ち、方形柱状、矩形柱状、六角柱状、八角柱状等や、全体形状が玉形、ひょうたん形、平板形などの柄を有する傘にも適用し得るものである。又、傘の形態、即ち、折畳傘、長傘、ジャンプ傘等の如何は問わない。
【００１３】
又、吊り紐自体としては、革紐、合成樹脂製又はゴム製の紐、天然又は合成の繊維から成る編み紐、組み紐及びこれらの組合せから成る紐又はストラップが用いられる。
【００１４】
吊り紐はループ状になっていても良く、１本のストラップ状のものであっても良い。
吊り紐の形状としては、断面円形の丸紐の外、角紐や平たい帯状体又はストラップなど何れにも適用可能である。要するに、本発明で用いる吊り紐は、一定の可撓性と伸縮性、耐久性、審美性、好ましい風合いを備えた細長いものであれば何でも良い。
【発明の効果】
【００１５】
本発明は叙上の如く構成されるから、本発明によるときは、傘に設けられた吊り紐を、必要に応じて椅子の背もたれ等のパイプフレームや、ハンドバッグの取っ手などの周囲を引き回して、その係止手段を、柄に設けた係止手段に掛け止めることができるので、両手を解放して食事、書類の記入、買い物、子供の世話などができるようになる。
【発明を実施するための最良の形態】
【００１６】
以下図面により本発明の実施例について説明するが、本発明はこれらの実施例に限定されるものでなく、段落0007に述べられているように、吊り紐の適所を傘の何れかの部分に着脱自在に掛け留め得るよう構成し、椅子の背もたれのフレームや手摺、ハンドバックの提げ手などに吊り下げ得るように構成されたもの総てを包摂するものである。
尚、以下の説明は、専ら傘の柄と吊り紐のみに関するものであるので、以下の図面には、その傘の柄と吊り紐及び傘軸の一部のみを示すこととし、その余の部分については説明を省略する。
図1は、4種の公知の傘の柄と吊り紐の構成を示す斜視図、
図2ないし図5は、本発明の第1実施例の構成を示す図であり、
図2は、吊り紐が解放されている状態を示す斜視図、
図3は、吊り紐を柄に設けたフックに係止した状態を示す斜視図、
図4は、その構成を示す立体分解図、
図5は、上記に示した傘の使用例を示す説明図
図6及び図7は、本発明の第2実施例を示す図であり、
図6はその一部立体分解図、
図7は、吊り紐をフックに掛けた状態を示す斜視図、
図8ないし図10は、本発明の第3実施例を示す図であり、
図8は、吊り紐を解放した状態を示す斜視図、
図9は、吊り紐のリングをフックに掛けた状態を示す斜視図、
図10は、その立体分解図、
図11は、本発明の第4実施例を示す斜視図、
図12ないし図14は、本発明の第5実施例を示す図であって、
図12は、吊り紐を解放した状態を示す斜視図、
図13は、吊り紐の先端に設けた球部を柄に設けた係止溝内に挿入、保持した状態を示す斜視図、
図14は、図13に示した状態を傘の柄の傘軸側から見た状態を示す底面図、
図15は、本発明の第6実施例を示す説明図である。
【００１７】
図1には公知の吊り紐付きの傘の柄が示されている。図1において、1a、1bは柄、2a、2b、2c及び2dは吊り紐、3は傘軸の一部である。
吊り紐は、一般的にループ状であり、柄の側面又は端面に設けた孔に挿通され、柄の内部の端部で抜け止めを兼ねた結束具で結束されている。
柄1aは柄の側面に、柄1bは柄の端面に、それぞれ吊り紐が取り付けられている。本発明は何れの柄にも適用できるものである。
又、ここに示された柄は何れも折畳傘に多用されている一端が閉鎖されている短い円筒状のものであるが、本発明はこのような円筒状の柄に限定されるものでなく、様々な形状の柄に適用し得るものである。
又、吊り紐のループの長さ、即ち傘の柄の挿通孔から、折返点までの距離は、12〜14cmの長いものと、6〜7cmの短いものがある。図中、吊り紐2a、2bは長いもの、同2c、2dは短いものである。
尚、公知の吊り紐には、このようなループ状のものの外に単純なひも状又は帯状のストラップがあり、それらのものにも本発明は適用可能である。
【００１８】
而して、本発明は傘の柄の形状のみならず、吊り紐の形状や、柄に対する取り付け方法にも特に制約されるものでなく、一定以上の長さを有するものである限り、如何なる吊り紐を有する傘にも適用できるものである。
又、図の説明では、吊り紐は何れも柄に直接着けられているものであるが、これは何らかの仲介物、例えば取付リング等を介して柄若しくは傘軸に取り付けられていても良いものであり、このような構成は必ずしも最良の形態とは言えないが、本発明はそのように構成された傘をも包摂するものである。
傘の全体は示されていないが、傘は如何なる形の傘でも良く、例えば折畳傘であっても、長傘であっても、自動開閉傘でも、又、ジャンプ傘、手動開閉傘であっても、本発明は何ら支障なく適用できるものである。
【実施例】
【００１９】
図2ないし図3は本発明の第1実施例を示すもので、これらの図において、10は傘の柄、20は吊り紐、30は傘軸の一部である。
この柄10は、その側面に本体部と一体に形成されたフック10aを有し、端面には吊り紐20の挿通孔10bを有する。
吊り紐20は、前述の公知の長めの吊り紐2と同様なものであり、端部を抜け止めを兼ねた結束具20aで結束され、柄10の端面に設けた挿通孔10bに挿通されている。
吊り紐20は随時、柄10に設けられたフック10aに引っ掛けることができる。フック10aの先端部2は、吊り紐20が簡単には抜けないようにするため、柄10の側面に向かって突起する爪が設けられており、爪の形状及び柄10の側面との間隙は、吊り紐20が簡単に引っ掛かり、かつ自然には抜けないように構成されている。
【００２０】
この傘の使用方法の一例は、図5に示されている。
図5において、100は前述の本発明に係る傘、200はハンドバッグである。
傘100は、必要に応じて、防水された収納袋120に入れられ、ハンドバッグ200の提げ手200aに取り付けられる。
このとき傘の吊り紐20は、ハンドバッグ200の提げ手200aを潜らせ、柄10に設けられたフック10aに引き掛ける。
【００２１】
このようにすれば、傘を直接手に持たなくとも良く、傘が水滴140で濡れていても、ハンドバッグ200をテーブルやカウンター、椅子や網棚等、随時適宜の場所に載せることができるようになる。
そのため、濡れた傘に煩わされることがなく、食事や、子供の世話、書類の記入、物品やチケットなどの購入、ATMの操作などが可能となるので、雨天に外出する際、大変に便利である。
【００２２】
図6及び図7は第2の実施例を示す。これらの図において、12は柄、121は金属製のフック、122は止ビス、20は前述の第1実施例のものと同じ吊り紐である。
柄12は、フック取付座12aとねじ穴12bが設けられており、ここに、止ビス122を用いてフック121が取り付けられるようになっている
前記の第1実施例の場合、フックが合成樹脂であるため、折損する恐れがあり、フックが折れたとき、修理が困難である。
この第2実施例では、金属製のフック12aが用いられるので、フックが折損することがなく、又これが損傷を受けたときもその修理が簡単にできるようになる。
【００２３】
図8ないし図10には、第3実施例が示されている。
これらの図において、14はフック14aを備えた柄、22は係止用リング23を備えた吊り紐、22aは吊り紐22の端部を束ねる結束具である。
リング23をフック14aに係止することにより、この第3実施例の傘も、上述の第1及び第2の実施例の傘と同様に使用でき、同じ作用効果が奏せられることは既に明らかであろう。
【００２４】
図11には、第4実施例が示されている。
図中、16はフック16aを備えた柄、24はリング25を具備した吊り紐である。
この実施例では、吊り紐としてループ状のものでなく、単純なベルト状の紐が用いられている。
吊り紐24の自由端側には、係止用のリング25が取り付けられており、これをフック16aに引き掛けて使用する。
【００２５】
図12ないし図14には第5実施例が示されている。
本実施例においては、柄18は、その側面に隆起部18aと係止溝18bが設けられ、断面円形でシングルの吊り紐26の先端には、係止用の球部26aが設けられている。
隆起部18aの下方の係止溝18bは、係止用の球部26aの半分を、柄の中心軸直角方向から嵌め込むことができるが、隆起部18aでは、係止溝18bの開口幅が狭められており、吊り紐26の直径と同一となっているので、係止用の球部26aが隆起部18aのところまで引き込まれると、係止用の球部26aは、柄の中心軸直角方向には引き抜けなくなり、このため、吊り紐26の端部は、図13に示されているように係止されることになる。
【００２６】
図15に示す第6実施例は、柄19と吊り紐28に、互いに係止解放可能なファスナーを設けるものである。
ここでは、ファスナーとして、吊り紐28には磁石29を取り付け、柄19を磁性体としその側面に磁石吸着座19a設ける例を示したが、これには、面ファスナーや、雌雄ホック、掛け金などを用いることができる。
【産業上の利用可能性】
【００２７】
本願発明は今日大量に供給されている折畳傘などに好適に適用し得るものであり、これを実施すれば多大の利益がある。
【図面の簡単な説明】
【００２８】
【図１】4種の公知の傘の吊り紐を示す斜視図である。
【図２】本発明の第1実施例において、吊り紐が解放されている状態を示す斜視図である。
【図３】第1実施例において、吊り紐を柄に設けたフックに係止した状態を示す斜視図である。
【図４】第1実施例において、その構成を示す立体分解図である。
【図５】上記に示した傘の使用例を示す説明図である。
【図６】第2実施例の構成を示すその一部立体分解図である。
【図７】第2実施例において、吊り紐をフックに掛けた状態を示す斜視図である。
【図８】本発明の第3実施例において、吊り紐を解放した状態を示す斜視図である。
【図９】第3実施例において、吊り紐のリングをフックに掛けた状態を示す斜視図である。
【図１０】第3実施例の立体分解図である。
【図１１】本発明の第4実施例を示す斜視図である。
【図１２】本発明の第5実施例を示す図であって、その吊り紐を解放した状態を示す斜視図である。
【図１３】第5実施例において、吊り紐の先端に設けた球部を柄に設けた係止溝内に挿入、保持した状態を示す斜視図である。
【図１４】図13に示した状態を傘の柄の傘軸側から見た状態を示す底面図である。
【図１５】本発明の第6実施例を示す説明図である。
【符号の説明】
【００２９】
10      柄
10a     フック
10b     挿通孔
12      柄
12a     フック取付座
12b     ねじ穴
14a     フック
16a     フック
18      柄
18a     隆起部
18b     係止溝
19      柄
100     傘
120     収納袋
121     フック
122     止ビス
140     水滴
20      吊り紐
20a     結束具
24      係止用リング
26      吊り紐
26a     球部
27      リング
28      吊り紐
29      磁石
200     ハンドバッグ
200a    提げ手
【図１】
2005192909.tif 000003
【図２】
2005192909.tif 000004
【図３】
2005192909.tif 000005
【図４】
2005192909.tif 000006
【図５】
2005192909.tif 000007
【図６】
2005192909.tif 000008
【図７】
2005192909.tif 000009
【図８】
2005192909.tif 000010
【図９】
2005192909.tif 000011
【図１０】
2005192909.tif 000012
【図１１】
2005192909.tif 000013
【図１２】
2005192909.tif 000014
【図１３】
2005192909.tif 000015
【図１４】
2005192909.tif 000016
【図１５】
2005192909.tif 000017